(57)【要約】    【課題】  機械的制御により開閉体のスライドを制御し且つ経年使用時における信頼性確保が可能なスライド式開閉体の挟み込み防止装置を提供すること。    【解決手段】  サッシ枠に保持される固定側ロック部材１０とサッシ３に保持される可動側ロック部材２０とから構成され、固定側ロック部材１０は作動用傾斜面１１とロック用耐荷重面１２とを備え、可動側ロック部材２０は作動レバー２１と、作動レバー２１に取り付けられ作動レバー２１の回動速度に応じて遥動するフック部材２２と、ロック用耐荷重面１２と接触する接触面２３を備えフック部材２２と掛合して回動する停止レバー２４と、フック部材２２に振動を促す振動機構５０を備える。【選択図】  図２
2009235857.tif 000002
【特許請求の範囲】
【請求項１】
開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、
前記固定側ロック部材は、作動用傾斜面と、ロック用耐荷重面と、を備え、
前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触する接触部を備え前記フック部材と掛合して回動する停止リンク部材と、前記フック部材に振動を促す振動機構と、を備えるスライド式開閉体の挟み込み防止装置。
【請求項２】
前記振動機構は、前記停止リンク部材に設けられ前記フック部材の作動軌跡上で前記フック部材と接触する接触部を備える、ことを特徴とする請求項１に記載のスライド式開閉体の挟み込み防止装置。
【請求項３】
前記振動機構は、前記フック部材又は前記作動リンク部材のいずれかで前記フック部材の作動リンク部材への取り付け位置に前記フック部材が前記作動リンク部材に対して相対移動可能にするスライド機構を備える、ことを特徴とする請求項１または請求項２のいずれか一項に記載のスライド式開閉体の挟み込み防止装置。
【請求項４】
前記スライド機構は、前記フック部材又は前記作動リンク部材のいずれかで前記フック部材の作動リンク部材への取り付け位置に前記フック部材が前記作動リンク部材に対して相対移動可能にする長孔を備える、ことを特徴とする請求項３に記載のスライド式開閉体の挟み込み防止装置。
【発明の詳細な説明】
【技術分野】
【０００１】
本発明は、玄関引き戸や引き違いサッシ等のようにスライドする戸や窓（開閉体）の開閉に係り、特に閉める時に指等の挟み込みを防止するスライド式開閉体の挟み込み防止装置に関する。
【背景技術】
【０００２】
従来から住宅の開口部には、スライドする型の引き戸や障子等（開閉体）が用いられており、引き違いサッシで開閉体が重なり合う部分や、開閉体と開口部の枠（固定枠）側との間で指等を挟むことがあった。近年、この開閉体が景観を良くするために大型化したり、防犯や断熱を重視したペアガラスにしたりする比率が高くなってきており、それに伴い開閉体の重量が増加している。そのため、指等を挟んだ場合の危険性が高くなってきている。
【０００３】
指等の挟み込みを防ぐために、種々の技術が開発されており、例えば特許文献１では、２つの磁石をそれぞれ固定枠側と開閉体側とに取り付け、磁石の反発力を利用した技術が開示されている。この特許文献１の装置は、固定枠と開閉体との間で磁石が先端に取り付けられた棒状部材が固定枠側に設置されており、開閉体側に別の磁石が取り付けられており、開閉体をゆっくりと閉めれば２つの磁石が反発して棒状部材が開閉体が閉められるように退避でき、開閉体を速く閉めると磁石が反発できず棒状部材に開閉体が衝突し開閉体を止める（ロックする）仕組みである。
【特許文献１】特開平８−８２１５７号公報
【発明の開示】
【発明が解決しようとする課題】
【０００４】
しかし、上記特許文献１で用いられる磁石は衝突に弱く、且つ固定軸に直接荷重が加わるため、耐久性が低くい。そして、磁石等の磁性体の磁束密度はバラツキが大きく、そのため上記作動のタイミングを調節すること、つまり開閉体をどの程度の速度で停止させるかを調節することが非常に困難である。
【０００５】
本発明は、上記課題に鑑みてなされたもので、機械的制御により開閉体のスライドを制御し且つ経年使用時における信頼性確保が可能なスライド式開閉体の挟み込み防止装置を提供することを解決すべき課題とする。
【課題を解決するための手段】
【０００６】
上記課題を解決するため、請求項１に記載の発明は、開閉体又は前記開閉体がスライドする固定枠のうち少なくとも一方に保持される固定側ロック部材と、前記開閉体又は前記固定枠のうち少なくとも他方に保持される可動側ロック部材と、から構成されるスライド式開閉体の挟み込み防止装置であって、前記固定側ロック部材は、作動用傾斜面と、ロック用耐荷重面と、を備え、前記可動側ロック部材は、前記作動用傾斜面と接触して回動する作動リンク部材と、前記作動リンク部材に取り付けられ前記作動リンク部材の回動速度に応じて遥動するフック部材と、前記ロック用耐荷重面と接触する接触部を備え前記フック部材と掛合して回動する停止リンク部材と、前記フック部材に振動を促す振動機構と、を備える。
【０００７】
また、請求項２に記載の発明は、前記振動機構は、前記停止リンク部材に設けられ前記フック部材の作動軌跡上で前記フック部材と接触する接触部を備える。
【０００８】
また、請求項３に記載の発明は、前記振動機構は、前記フック部材又は前記作動リンク部材のいずれかで前記フック部材の作動リンク部材への取り付け位置に前記フック部材が前記作動リンク部材に対して相対移動可能にするスライド機構を備える。
【０００９】
また、請求項４に記載の発明は、前記スライド機構は、前記フック部材又は前記作動リンク部材のいずれかで前記フック部材の作動リンク部材への取り付け位置に前記フック部材が前記作動リンク部材に対して相対移動可能にする長孔を備える。
【発明の効果】
【００１０】
請求項１に記載の発明では、固定側ロック部材と可動側ロック部材は全て機械的な部品で構成され、スライド式開閉体の挟み込み防止（ロック）を作動リンク部材の回動速度に応じて変化するフック部材の遥動により決めることができる。また、フック部材に振動を促す振動機構を備えることで、フック部材の摺動部周辺に侵入、固着する粉塵などを払い落とすことが可能となり（粉塵に対する自動清掃作用）、製品の経年使用時における信頼性確保が可能となる。
【００１１】
また、請求項２に記載の発明では、フック部材の作動軌跡上にフック部材と接触する例えば凸部などの接触部を備えることで、作動リンク部材の回動によりフック部材が接触機構と接触して、フック部材の摺動部周辺に侵入、固着する粉塵などを払い落とすことが可能となり（粉塵に対する自動清掃作用）、製品の経年使用時における信頼性確保が可能となる。
【００１２】
また、請求項３に記載の発明では、フック部材と作動リンク部材の取り付く位置にスライド機構を備えるため、フック部材と停止リンク部材の掛合やフック部材と接触機構の接触によりフック部材がスライド機構に沿って作動リンク部材に対して相対移動して、フック部材の摺動部周辺に侵入、固着する粉塵などを払い落とすことが可能となり（粉塵に対する自動清掃作用）、製品の経年使用時における信頼性確保が可能となる。
【００１３】
また、請求項４に記載の発明では、スライド機構がフック部材と作動リンク部材の取り付く位置に長孔を備えるため、フック部材と停止リンク部材の掛合やフック部材と接触機構の接触によりフック部材が長孔に沿って作動リンク部材に対して相対移動して、フック部材の摺動部周辺に侵入、固着する粉塵などを払い落とすことが可能となり（粉塵に対する自動清掃作用）、簡単な構造で製品の経年使用時における信頼性確保が可能となる。
【発明を実施するための最良の形態】
【００１４】
以下に本発明の実施形態を図面を参照しつつ詳細に説明する
図１は、本発明の実施形態である挟み込み防止装置１で、サッシ枠２（固定枠）に固定される固定側ロック部材１０と、サッシ３（開閉体）に固定される可動側ロック部材２０と、から構成される。
【００１５】
図２は、挟み込み防止装置１の構成図で、固定側ロック部材１０は、作動用傾斜面１１と、作動用傾斜面１１と並んで設けられるロック用耐荷重面１２を備える。可動側ロック部材２０は、作動用傾斜面１１と接触して回動するＬ字形状を呈する作動レバー２１（作動リンク部材）と、作動レバー２１に回動（遥動）可能に取り付けられたフック部材２２と、ロック用耐荷重面１２と接触する接触面２３（接触部）を備え回動する停止レバー２４（停止リンク部材）から構成される。作動レバー２１と停止レバー２４は、ケース２６の固定軸２７に回動可能に設けられる。ケース２６は、サッシ３にボルト２５で固定される。作動レバー２１は、作動レバー２１を作動用傾斜面１１と接触する方向に回動するように付勢するバネ２８（第１弾性部材）を備える。また、停止レバー２４は、停止レバー２４をロック用耐荷重面１２と接触する方向に回動するように付勢するバネ２９（第２弾性部材）を備える。フック部材２２の重心３０は、フック部材２２が作動レバー２１に取り付けられた位置３１に対して、作動レバー２１が回動する固定軸２７の遠心方向に位置する。またフック部材２２には、停止レバー２４と掛合するための掛部３３が設けられる。停止レバー２４には、ロック用耐荷重面１２と接触するときに作動レバー２１に対してスライド方向に相対移動するための長孔３２を備える。ケース２６は、停止レバー２４と当接する緩衝材４０（緩衝部材）が設けられ、緩衝材４０は当接時の緩衝材４０の圧縮変形と衝撃を吸収する複数の貫通孔４１（逃がし部）を備える。
【００１６】
図３は、作動レバー２１の説明図である。作動レバー２１には、フック部材２２と作動レバー２１の取り付け位置３１にフック部材２２が作動レバー２１に対して相対移動可能にする振動機構５０を構成する長孔５２を備える。また、作動レバー２１にはフック部材２２の回動を規制するピン５３を備える。
【００１７】
図４は、停止レバー２４の説明図である。停止レバー２４は、フック部材２２の作動軌跡上にフック部材２２と接触する振動機構５０を構成する接触部５１を備える。接触部５１は凸形状を呈している。
【００１８】
図５〜図８は本発明の自己清掃作動を作動パターン毎に詳述する。
【００１９】
図５は、サッシ３が閉状態（保持）から、サッシ３を開けるまでの作動を示す説明図である。図５（ａ）に示すようにサッシ３が閉状態では、停止レバー２４は、上方向に付勢されているが、一方の作動レバー２１は固定側ロック部材１０により下方向に押下されている状態で保持されている為、お互いに反発するように反力が発生している。フック部材２２は、引き上げられる力により、作動レバー２１の長孔５２内の上位置に保持されている。
【００２０】
サッシ３を開ける動作（開１）により、可動ロック部材２０が移動すると次に図５（ｂ）の状態になる。図５（ｂ）では、停止レバー２４が、アッパーモースト状態付近での作動レバー２１とフック部材２２のそれぞれの微動（振動）を説明する。停止レバー２４がアッパーモースト（図中２点鎖線状態）以上に作動レバー２１が回動すると、お互いの反発力が無くなり、フック部材２２は、自重により、作動レバー２１の長孔５２内の下位置に移動（α方向）する。この時に、回転軸周りに侵入した微細な埃を振り落とす初期動作が発生する。さらに、作動レバー２１が回動すると、フック部材２２を持ち上げる状態（図中実線状態）となり、停止レバー２４の凸部５１とフック部材２２の掛部３３が接触して、図５（ｃ）に示すβ方向に回転（振動）する。したがって回転軸周りに侵入した微細な埃を振り落とす二次動作となる（図中２点鎖線状態）。
【００２１】
図６は、サッシ３の閉作動時の緊急停止状態から、サッシ３を一時開方向にリセット作業するまでの作動を示す説明図である。図６（ａ）は、サッシ３サッシは緊急停止状態なので、停止レバー２４は、上方向に残され、作動レバー２１は固定側ロック部材１０により下方向に押下されている状態で保持されている為、フック部材２２を吊り上げた状態で一時待機している。サッシ３を開けるリセット動作（開２）により、可動側ロック部材２０が移動すると図６（ｂ）の状態になる。図６（ｂ）では、作動レバー２１が、上方に回動し、同様にフック部材２２も上方に移動するので、停止レバー２４の凸部３４とフック部材２２の掛部３３が接触して図の左回転（振動）する。この後、フック部材２２は自重により右回転（振動）するため、左右（γ、θ方向）に振り払い動作（振動）をする。作動レバー２１がさらに回動すると、フック部材２２を持ち上げた状態で、図６（ｃ）に示す回転し待機する。
【００２２】
図７は、サッシ３の開状態（保持）から、サッシ３を閉めるまでの閉速度が速い場合（緊急停止）の作動を示す説明図である。図７（ａ）は、サッシ３が開状態では、停止レバー２４、作動レバー２１共に上方向に付勢されており、フック部材２２も自重による吊られた状態で保持されている。サッシ３の作動速度が速い場合、作動レバー２１が瞬時に下方で移動する為、フック部材２２が追従出来ず、図７（ｂ）に示す様、フック部材２２は、作動レバー２１の長孔５２内の上位置に移動する。この後、慣性力により、フック部材２２は、図７（ｃ）に示すように図の左に回転（γ方向）し、図７（ｄ）に示すように重力による下方移動（θ方向）を組み合わせて自己清掃動作を行う。
【００２３】
図８は、サッシ３の開状態（保持）から、サッシ３を閉めるまでの閉速度が遅い場合（通常閉操作）の作動を示す説明図である。図８（ａ）のサッシ３の開状態（保持）では、停止レバー２４、作動レバー２１共に上方向に付勢されており、フック部材２２も自重による吊られた状態で保持されている。作動速度が遅い場合、作動レバー２１がゆっくりと下方に移動する為、フック部材２２の掛部３３が停止レバー２４の凸部３４との接触関係が解けて、図８（ｂ）の二点鎖線で示す回転復帰する（反β方向）。さらに作動レバー２１が下方に移動すると、フック部材２２の掛部３３と停止レバー２４の凸部３４が接触して、図８（ｃ）に示す様、フック部材２２を作動レバー２１の長孔５２の上位置に上方微動（振動）する。この後、図８（ｄ）、図８（ｅ）に示すように停止レバー２４を下方に移動する。
【００２４】
本発明の挟み込み防止装置１では、固定側ロック部材１０と可動側ロック部材２０は全て機械的な部品で構成され、サッシ３の挟み込み防止装置１を作動レバー２１の回動速度に応じて変化するフック部材２２の遥動により決めることができる。
【００２５】
また、フック部材２２の作動軌跡上にフック部材２２と接触する凸部５１を備えることで、作動レバー２１の回動によりフック部材２２が凸部４１と接触して、フック部材の摺動部周辺に侵入、固着する粉塵などを払い落とすことが可能となり（粉塵に対する自動清掃作用）、製品の経年使用時における信頼性確保が可能となる。
【００２６】
また、フック部材２２と作動レバー２１の取り付く位置３１に長孔５２を備えるため、フック部材２２と停止レバー２４の掛合やフック部材２２と凸部５１の接触によりフック部材２２が長孔５２に沿って作動レバー２１に対して相対移動して、フック部材２２の摺動部周辺に侵入、固着する粉塵などを払い落とすことが可能となり（粉塵に対する自動清掃作用）、製品の経年使用時における信頼性確保が可能となる。
【図面の簡単な説明】
【００２７】
【図１】本発明の挟み込み防止装置を障子とサッシ枠に取り付けた図である。
【図２】本発明の挟み込み防止装置の構成図である。
【図３】作動レバーの説明図である。
【図４】停止レバーの説明図である。
【図５】障子が閉状態（保持）から、障子を開けるまでの作動を示す説明図である。
【図６】障子の閉作動時の緊急停止状態から、障子を一時開方向にリセット作業するまでの作動を示す説明図である。
【図７】障子の開状態（保持）から、障子を閉めるまでの閉速度が速い場合（緊急停止）の作動を示す説明図である。
【図８】障子の開状態（保持）から、障子を閉めるまでの閉速度が遅い場合（通常閉操作）の作動を示す説明図である。
【符号の説明】
【００２８】
１  挟み込み防止装置
３  サッシ（開閉体）
１０  固定側ロック部材
２０  可動側ロック部材
２１  作動レバー（作動リンク部材）
２２  フック部材
２４  停止レバー（停止リンク部材）
５０  振動機構
５１  凸部（接触部）
５２  長孔
【図１】
2009235857.tif 000003
【図２】
2009235857.tif 000004
【図３】
2009235857.tif 000005
【図４】
2009235857.tif 000006
【図５】
2009235857.tif 000007
【図６】
2009235857.tif 000008
【図７】
2009235857.tif 000009
【図８】
2009235857.tif 000010